(57)【要約】  踵部とアーチ部とミッドソール部とつま先部とを画定するソール部材を備える自転車シューズであって、その踵部とつま先部が、第１の革素材から形成されており、そのアーチ部が第２の素材を含み、その第２の素材が、滑らず、実質的に非腐食性である革以外の素材である自転車シューズ。【選択図】  図１
2017511186.tif 000002
【特許請求の範囲】
【請求項１】
踵部とアーチ部とミッドソール部とつま先部とを画定するソール部材
を備える自転車シューズであって、
前記踵部と前記つま先部が第１の革素材から形成されており、
前記アーチ部が第２の素材を含み、
前記第２の素材が、滑らず、実質的に非腐食性である革以外の素材である自転車シューズ。
【請求項２】
前記ミッドソール部が前記第２の素材を含む、請求項１に記載の自転車シューズ。
【請求項３】
前記ソール部材が、１つ以上の革素材層から形成されている、請求項１又は２に記載の自転車シューズ。
【請求項４】
前記ソール部材が、前記アーチ部に設けられた凹部を備える、請求項１〜３のいずれかに記載の自転車シューズ。
【請求項５】
前記凹部が、ミッドソール部内まで延びている、請求項４に記載の自転車シューズ。
【請求項６】
前記凹部が、前記革素材の一部を削り取ることによって形成されている、請求項４又は５に記載の自転車シューズ。
【請求項７】
前記凹部内に設けられているとともに、前記第２の素材から形成された外面を少なくとも有するインサート部材を前記自転車シューズが備える、請求項４〜６のいずれかに記載の自転車シューズ。
【請求項８】
前記インサートが前記第２の素材から形成されている、請求項７に記載の自転車シューズ。
【請求項９】
前記凹部が、前記自転車シューズの両側の間で、横方向に延びている、請求項４〜８のいずれかに記載の自転車シューズ。
【請求項１０】
前記インサート部材の外面が、前記踵部とつま先部の外面と同一平面を成している、請求項７又は８に記載の自転車シューズ。
【請求項１１】
前記インサート部材の外面が、前記踵部とつま先部の外面よりも高い位置にあり、歩行中に地面と接しないようになっている、請求項７又は８に記載の自転車シューズ。
【請求項１２】
前記アーチ部が上方に延びており、歩行中に地面と接しないようになっている、請求項１〜１１のいずれかに記載の自転車シューズ。
【請求項１３】
前記自転車シューズが女性用ハイヒールシューズである、請求項１２に記載の自転車シューズ。
【請求項１４】
前記アーチ部が、前記第２の素材から形成されたインサート部材を備え、前記インサート部材が、前記アーチ部から前記踵部まで延びているブリッジ部材を備える、請求項１〜１３のいずれかに記載の自転車シューズ
【請求項１５】
前記ブリッジ部材が、前記踵部の実質的に垂直な壁まで延びている、請求項１４に記載の自転車シューズ。
【請求項１６】
前記第２の素材が剛性素材である、請求項１〜１５のいずれかに記載の自転車シューズ。
【請求項１７】
前記第２の素材がポリウレタン素材を含む、請求項１〜１６のいずれかに記載の自転車シューズ。
【請求項１８】
前記第２の素材が熱可塑性ポリウレタン（ＴＰＵ）素材を含む、請求項１〜１７のいずれかに記載の自転車シューズ。
【請求項１９】
前記第２の素材がゴム素材を含む、請求項１〜１８のいずれかに記載の自転車シューズ。
【請求項２０】
前記インサート部材が、所定量の高温な第２の素材を型に注入して、冷却したときに、所望の厚みの平坦な素材をもたらすことによって形成されている、請求項７〜１１のいずれかに記載の自転車シューズ。
【請求項２１】
前記インサート部材が、前記平坦な素材の一面積を切断することによって形成されており、前記面積が、前記凹部の面積に相当する、請求項２０に記載の自転車シューズ。
【請求項２２】
前記インサート部材が、接着剤を用いて前記凹部内で前記ソールに取り付けられている、請求項７〜１１のいずれかに記載の自転車シューズ。
【請求項２３】
グリップ手段を形成するために、前記インサート部材の外面を処理されていてよい、請求項７〜１１のいずれかに記載の自転車シューズ。
【請求項２４】
１つ以上の光反射又は光発光部を備える、請求項１〜２３のいずれかに記載の自転車シューズ。
【請求項２５】
前記部分が前記シューズの後方対向面に設けられている、請求項２４に記載の自転車シューズ。
【請求項２６】
前記部分が前記シューズの正面対向面に設けられている、請求項２４又は２５に記載の自転車シューズ。
【請求項２７】
前記自転車シューズが、前記ソール部材から延びている上部部材を備え、前記１つ以上の部分が前記上部部材に設けられている、請求項２４〜２６のいずれかに記載の自転車シューズ。
【請求項２８】
前記上部部材が、第１の構成から第２の構成に折り畳める１つ以上のフラップを備える、請求項２７に記載の自転車シューズ。
【請求項２９】
前記フラップが前記第１の構成にあるときには前記部分が隠れ、前記フラップが前記第２の構成にあるときには前記部分が見えるように、前記部分が前記フラップ又は前記フラップの近くに設けられている、請求項２８に記載の自転車シューズ。
【請求項３０】
自転車シューズを形成する方法であって、
踵部とアーチ部とミッドソール部とつま先部とを画定するソール部材を設けることと、
前記踵部と前記つま先部を革素材から形成することと、
前記アーチ部を第２の素材から形成することと、
を含み、
前記第２の素材が、滑らず、実質的に非腐食性である革以外の素材である方法。
【請求項３１】
前記ミッドソール部を前記第２の素材から形成することを含む、請求項３０に記載の方法。
【請求項３２】
前記ソール部材を１つ以上の革素材層から形成することを含む、請求項３０又は３１に記載の方法。
【請求項３３】
前記アーチ部に設けられた凹部とともに、前記ソール部材を設けることを含む、請求項３０〜３２のいずれかに記載の方法。
【請求項３４】
前記凹部が、前記ミッドソール部内まで延びている、請求項３３に記載の方法。
【請求項３５】
前記革素材の一部を削り取ることによって前記凹部を形成することを含む、請求項３３又は３４に記載の方法。
【請求項３６】
インサート部材を前記凹部内に設けることを含み、前記インサート部材が、前記第２の素材から形成された外面を有する、請求項３３〜３５のいずれかに記載の方法。
【請求項３７】
前記第２の素材がポリウレタン素材を含む、請求項３０〜３６のいずれかに記載の方法。
【請求項３８】
前記第２の素材が、熱可塑性ポリウレタン（ＴＰＵ）素材を含む、請求項３０〜３７のいずれかに記載の方法。
【請求項３９】
前記第２の素材がゴム素材を含む、請求項３０〜３８のいずれかに記載の方法。
【請求項４０】
所定量の高温な第２の素材を型に注入して、冷却したときに、所望の厚さの平坦な素材をもたらすことを含む、請求項３０〜３９のいずれかに記載の方法。
【請求項４１】
前記平坦な素材の一面積を切断することを含み、前記面積が、前記凹部の面積に相当する、請求項４０に記載の方法。
【請求項４２】
接着剤を用いて、前記インサート部材を前記凹部内で前記ソールに取り付けることを含む、請求項３０〜４１のいずれかに記載の方法。
【請求項４３】
前記インサート部材の外面を処理して、グリップ手段を形成することを含む、請求項４２に記載の方法。
【発明の詳細な説明】
【技術分野】
【０００１】
本発明は、自転車シューズに関する。特には、これに限らないが、本発明は、歩行に適し、及び／又はフォーマルな服装の際に適する自転車シューズに関する。
【背景技術】
【０００２】
自転車に乗ることは、多くの理由から人気がある。その理由の１つは、環境に優しく、健康を促進する移動手段であることであり、多くの人が、自転車で通勤をしている。しかしながら、仕事でフォーマルな服装をする人にとって、自転車通勤には問題がある場合がある。
【０００３】
特には、革のソールを有する従来のフォーマルシューズは、自転車運転にふさわしくない。通常の使用では、そのようなシューズが一般的である。革のソールは快適性を向上させるとともに、通気性があるからである。また、革素材は、ゴムのソールよりも高品質な素材とみなされている。しかしながら、革素材は、特に湿った状態においてグリップ性に乏しく、それが原因で、ペダルの上でシューズが滑ることがある。これにより、運転者の足首への衝撃、又は滑ってバランスを崩すことによるなどの怪我のリスクが生じる。また、革素材は、自転車のペダルと繰り返し接触すると腐食する。時間の経過とともにヒールが腐食すると同時に、シューズがペダルと接触する部分が、それよもかなり速く腐食する。
【０００４】
自転車専用シューズが存在するが、これらは典型的には、通常の歩行には適さなかったり、又は、フォーマルな服装とともに履くのには適さなかったりする。その結果、多くの運転者は、第２の靴を保管したり運んだりする必要がある。これは不便であるとともに、自転車には保管スペースが限られている。
【０００５】
自転車運転者は、様々な形態の反射衣類を利用できる。しかしながら、少なくとも１つの研究により、夜間、蛍光ベストは、黒色衣類を有意には改善しなかったことが分かっている。膝及び足首の反射性ストライプの方がかなり有効であると結論付けられている。背中を横切る大きな反射性ストライプ（静止した状態で現れることがある）よりも、ペダルを踏む際の上下運動の方が、自動車運転者（及び、道路を横断しようとしている歩行者を含む他の道路使用者）の目を引くことができるからである。本発明者は、反射部を自転車シューズに設けるというアイデアを考案した。
【０００６】
従来のシューズの望ましい特徴を保持するが、耐久性の向上（低腐食性素材）、グリップ性の向上、及び光反射部など、自転車用の所望の特徴を備える自転車シューズを提供するのが望ましい。
【０００７】
自転車運転者は典型的には、シューズのアーチ部又はミッドソール部のみを用いてペダルに触れるものと本発明者は認識している。したがって、ソールのこれらの部分のみが、必要な耐久性、剛性、及びグリップ性を有すればよい。
【発明の概要】
【０００８】
本発明の第１の態様によれば、
踵部とアーチ部とミッドソール部とつま先部とを画定するソール部材を備える自転車シューズであって、
その踵部とつま先部が第１の革素材から形成されており、
そのアーチ部が第２の素材を含み、
その第２の素材が、滑らず、実質的に非腐食性である革以外の素材である自転車シューズを提供する。
【０００９】
そのミッドソール部は、第２の素材を含んでよい。
【００１０】
革から形成された踵部とつま先部とを有する自転車シューズを提供することによって、そのシューズは、快適性と通気性が向上しているとともに、踵部とつま先部は、ソールの、見えやすい部分なので、そのシューズは、高品質なイメージを依然として保持している。
【００１１】
ソール部材は、１つ以上の革素材層から形成されていてよい。ソール部材は、アーチ部に設けられた凹部を備えてよい。この凹部は、ミッドソール部内まで延びていてよい。
【００１２】
この凹部は、革素材の一部を削り取ることによって形成されていてよい。
【００１３】
本発明の自転車シューズは、凹部内に設けられているとともに、第２の素材から形成された外面を少なくとも有するインサート部材を備えてよい。このインサートは、第２の素材から形成されていてもよい。
【００１４】
凹部は、自転車シューズの側面間に横方向に延びていてよい。あるいは、凹部は、シューズの各側面の手前で終端してもよい。このようなケースでは、凹部とインサート部材は見えにくい。
【００１５】
インサート部材の外面は、踵部とつま先部の外面と同一平面を成していてもよい。あるいは、インサート部材の外面は、歩行中に地面と接しないように、踵部とつま先部の外面よりも高い位置にあってもよい。
【００１６】
あるいは、アーチ部は、歩行中に地面と接しないように、上方に延びていてもよい。本発明の自転車シューズは、女性用ハイヒールシューズであってよい。
【００１７】
代替的な実施形態では、アーチ部は、第２の素材から形成されたインサート部材を備えてよい。このインサート部材は、アーチ部から踵部まで延びているブリッジ部材を備えてよい。このブリッジ部材は、踵部の実質的に垂直な壁まで延びていてよい。
【００１８】
アーチ部が地面と接しない実施形態では、アーチ部は摩耗しにくい。
【００１９】
第２の素材は剛性素材であってよい。
【００２０】
第２の素材は、ポリウレタン素材を含んでよい。第２の素材は、熱可塑性ポリウレタン（ＴＰＵ）素材を含んでよい。あるいは、第２の素材は、ゴム素材を含んでよい。
【００２１】
インサート部材は、所定量の高温な第２の素材を型に注入して、冷却したときに、所望の厚さの平坦な素材をもたらすことによって形成してよい。
【００２２】
インサート部材は、この平坦な素材の一面積を切断することによって形成されていてよく、その面積は、凹部の面積に相当する。
【００２３】
インサート部材は、接着剤を用いて、凹部内でソールに取り付けられていてよい。あるいは、留め具を用いてもよい。
【００２４】
グリップ手段を形成するために、インサート部材の外面が処理されていてもよい。この処理は、レーザー彫刻などを含んでよい。代わりの処理手段を用いてもよい。あるいは、グリップ手段は、型の輪郭を利用して形成してもよい。
【００２５】
本発明の自転車シューズは、１つ以上の光反射又は光発光部を備えてよい。
【００２６】
光反射又は光発光部は、シューズの後方対向面に設けてよい。この代わりに、又はこれに加えて、光反射又は光発光部は、シューズの正面対向面に設けてもよい。
【００２７】
本発明の自転車シューズは、ソール部材から上方に延びている上部部材を備えてよい。１つ以上の光反射又は光発光部を上部部材に設けてよい。
【００２８】
上部部材は、第１の構成から第２の構成に折り畳める１つ以上のフラップを備えてよい。光反射又は光発光部をフラップ又はフラップの近くに設けて、フラップが第１の構成にあるときにはその部分が隠れ、フラップが第２の構成の時には見えるようにしてよい。
【００２９】
本発明の第２の態様によれば、自転車シューズを形成する方法であって、
踵部とアーチ部とミッドソール部とつま先部とを画定するソール部材を設けることと、
その踵部とつま先部を革素材から形成することと、
そのアーチ部を第２の素材から形成することと、
を含み、
その第２の素材が、滑らず、実質的に非腐食性である革以外の素材である方法を提供する。
【００３０】
この方法は、ミッドソール部を第２の素材から形成することを含んでよい。
【００３１】
この方法は、ソール部材を１つ以上の革素材層から形成することを含んでよい。この方法は、アーチ部に設けられた凹部とともに、ソール部材を設けることを含んでよい。凹部は、そのミッドソール部内まで延びていてよい。
【００３２】
本発明の方法は、革素材の一部を削り取ることによって凹部を形成することを含んでよい。
【００３３】
本発明の方法は、凹部内にインサート部材を設けることを含んでよく、そのインサート部材は、第２の素材から形成された外面を有する。
【００３４】
本発明の方法は、インサート部材の外面を、踵部とつま先部の外面と同一平面を成すように構成することを含んでよい。あるいは、本発明の方法は、インサート部材の外面を、踵部とつま先部の外面よりも高い位置になるように構成して、インサート部材の外面が歩行中に地面と接しないようにすることを含んでよい。
【００３５】
あるいは、本発明の方法は、アーチ部を上方に延ばして、アーチ部が歩行中に地面と接しないようにすることを含んでもよい。
【００３６】
本発明の第２の素材は、ポリウレタン素材を含んでよい。第２の素材は、熱可塑性ポリウレタン（ＴＰＵ）素材を含んでもよい。あるいは、第２の素材はゴム素材を含んでもよい。
【００３７】
本発明の方法は、所定量の高温な第２の素材を型に注入して、冷却したときに、所望の厚さの平坦な素材をもたらすことを含んでもよい。
【００３８】
本発明の方法は、平坦な素材の一面積を切断することを含んでよく、その面積は、凹部の面積に相当する。
【００３９】
本発明の方法は、接着剤を用いて、インサート部材を凹部内でソールに取り付けることを含んでよい。
【００４０】
本発明の方法は、インサート部材の外面を処理して、グリップ手段を形成することを含んでよい。
【００４１】
本発明の方法は、１つ以上の光反射又は光発光部を有する自転車シューズを提供することを含んでよい。その部分は、シューズの後方対向面に設けてよい。この代わりに、又はこれに加えて、その部分は、シューズの正面対向面に設けてよい。
【００４２】
本発明の自転車シューズは、ソール部材から上方に延びている上部部材を備えてよく、本発明の方法は、その上部部材に１つ以上の光反射又は光発光部を含んでよい。
【００４３】
本発明の方法は、第１の構成から第２の構成に折り畳める１つ以上のフラップを有する上部部材を設けることを含んでよい。本発明の方法は、フラップ又はフラップ近くに光反射又は光発光部を設けて、フラップが第１の構成にあるときにはその部分が隠れ、フラップが第２の構成にあるときには隠れるようにすることを含んでよい。
【図面の簡単な説明】
【００４４】
以下では、添付図面を参照しながら、単なる例を挙げて、本発明の実施形態について説明する。
【図１】図１は、第１の実施形態の自転車シューズの斜視図である。
【図２】図２は、第２の実施形態の自転車シューズの側面図である。
【図３】図３は、第３の実施形態の自転車シューズの側面図である。
【図４】図４は、第４の実施形態の自転車シューズの側面図である。
【図５】図５は、第５の実施形態の自転車シューズの斜視図であり、（ａ）第１の構成と（ｂ）第２の構成のフラップが示されている。
【発明を実施するための形態】
【００４５】
図１は、自転車シューズ１０を示している。シューズ１０は、踵部２０とアーチ部２２とミッドソール部２４とつま先部２６とを画定するソール１２を備える。この実施形態では、踵部２０とミッドソール部２４とつま先部２６は、革素材から形成されている。アーチ部２２は、第２の素材、このケースでは熱可塑性ポリウレタン（ＴＰＵ）素材を用いて形成されている。
【００４６】
したがって、自転車シューズ１０は、革から形成された部分を有し、快適性と通気性が向上している。また、シューズ１０は、高品質なイメージを保持している。しかしながら、アーチ部２２は、更に耐久性の高い素材から形成されているうえに、ペダルを踏んでいるときに滑りにくい。自転車運転者は、シューズ１０のアーチ部２２を用いてペダルに触れることによって、自転車のペダルを踏むことができる。
【００４７】
ソール１２は、多くの革素材層から形成されている。ソール１２の凹部３０は、革素材の一部を削り取ることによって形成されている。凹部３０は、アーチ部２２に位置する。第２の素材から形成されたインサート３２はが、凹部３０内に嵌め込まれている。
【００４８】
インサート３２は、アーチ部２２のみに設けられているので、歩行中に地面と接触しないことに留意されたい。したがって、インサート３２は摩耗しにくくなる。
【００４９】
インサート３２は、所定量の高温な第２の素材を型に注入することによって形成されている。冷却すると、第２の素材は平坦になり、所望の厚みを有する。続いて、この平坦な素材の一面積を切断し、その面積は、凹部３０の面積に相当する。続いて、接着剤を用いて、インサート３２を凹部３０内でソール１２に取り付ける。続いて、レーザー彫刻を用いて、インサート３２の外面を処理して、グリップ手段を形成する。
【００５０】
図２は、シューズ１０の第２の実施形態を示しており、類似の機構には同様の参照番号が付されている。
【００５１】
この実施形態では、凹部３０とインサート３２は、更に前方に、ミッドソール部２４まで延びている。これにより、運転者は、足の更に前方部分を用いてペダルに触れることによって、ペダルを踏めるようになる。しかしながら、インサート３２の大部分は、歩行中に地面と接しないままである。
【００５２】
図３は、シューズ１０の第３の実施形態を示しており、類似の機構には同様の参照番号が付されている。
【００５３】
この実施形態では、シューズ１０は、ソールがフラットなタイプである。したがって、インサート３２の外面は、踵部２０とつま先部２６の外面と同一平面を成している。
【００５４】
図４は、シューズ１０の第４の実施形態を示しており、類似の機構には同様の参照番号が付されている。
【００５５】
この実施形態では、シューズ１０は、女性用ハイヒールシューズである。したがって、アーチ部２２は、それよりも小さい踵部２０と交わるまで、後方かつ上方に延びている。アーチ部２２は歩行中、地面と接しない。この実施形態により、自転車運転時でもハイヒールシューズを履けるようになる。
【００５６】
代替的な実施形態（図示なし）では、アーチ部２２は、第２の素材から形成されたブリッジ部材を備えることができる。ブリッジ部材は、アーチ部２２から、踵部２０の実質的に垂直な壁まで延びることができる。
【００５７】
図５は、シューズ１０の第５の実施形態を示しており、類似の機構には同様の参照番号が付されている。
【００５８】
この自転車シューズ１０は、上記の実施形態と似ているが、シューズ１０の上部１３に光反射部４０を備える。光反射部４０は、シューズ１０の後方対向面１４と正面対向面１６に設けられている。
【００５９】
シューズ１０の上部１３は、折り目４４で、第１の構成（図５（ａ）に示されている）から第２の構成（図５（ｂ）に示されている）に折り畳めるフラップ４２を備える。フラップを所望の構成に保つために、フラップ４２と、上部１３の対応する区域とに、Ｖｅｌｃｒｏ（商標）のような留め具を設けることができる。
【００６０】
光反射部４０は、各フラップ４２の表面に設けられている。別の光反射部が、各フラップ４２の折り目４４の近くに設けられている。フラップ４２が第１の構成のときには光反射部が隠れ、フラップ４２が第２の構成のときには光反射部が見えるような寸法になっている。
【００６１】
自転車に乗っていないときには、ユーザーは、フラップ４２を第１の構成に保つことができる。この構成では、フラップ４２は単に、シューズ１０のデザイン／スタイルの一部として現れる。暗い状況で自転車に乗ろうというときには、ユーザーは簡単にフラップ４２を第２の構成に折り畳むことができる。そうすると、光反射部４０が見えるようになる。自転車に乗っている間、各シューズ１０は、ペダルと同じ回転運動を有し、自動車運転者と他の道路使用者の注意を引く助けとなる。
【００６２】
本発明の範囲から逸脱しなければ、様々な修正と変形を行うことができる。
【図１】
2017511186.tif 000003
【図２】
2017511186.tif 000004
【図３】
2017511186.tif 000005
【図４】
2017511186.tif 000006
【図５】
2017511186.tif 000007
【国際調査報告】
2017511186.tif 000008
2017511186.tif 000009
2017511186.tif 000010